【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
高効率ワイヤレス周波数分割多重化の方法であって、
第１のワイヤレスデバイスにおいて、関連付けられたアクセスポイントから基準信号を受信することと、前記基準信号は、少なくとも第２のワイヤレスデバイスとのジョイント送信の時間とサードパーティデバイスのための遅延時間とを指示し、前記基準信号は、１つまたは複数の局情報フィールド、フレームチェックシーケンス（ＦＣＳ）、および最後の局情報フィールドと前記ＦＣＳとの間の１つまたは複数のパディングビットを備え、アイドルチャネルのみが使用されるべきであるという指示とともに、前記基準信号のみが１次チャネル上で送られ、
前記基準信号に基づいて、前記関連付けられたアクセスポイントへ第１の通信を送信することと、前記第１の通信は、ワイヤレス周波数の第１のサブセットを利用し、および前記第２のワイヤレスデバイスからの第２の通信と並行し、前記第２の通信は、ワイヤレス周波数の第２のサブセットを利用し、ワイヤレス周波数の前記第２のサブセットは、ワイヤレス周波数の前記第１のサブセットを除く、
を備える、方法。
【請求項２】
前記関連付けられたアクセスポイントにおける送信準備完了（ＲＴＸ）フレームの受信に応答して、前記基準信号を送信することをさらに備え、前記基準信号は、フレーム制御フィールドと、持続時間フィールドと、ソースアドレスフィールドと、宛先アドレスフィールドと、以下の指示、すなわち、要求された送信時間、送信のためのキューのサイズ、前記要求された送信のためのサービス品質（ＱｏＳ）指示、および要求された送信帯域幅のうちの１つもしくは複数を備える情報ペイロードとのうちの１つまたは複数を備える、送信準備完了（ＲＴＸ）フレームを備える、請求項１に記載の方法。
【請求項３】
前記基準信号は、リバース決定グラント（ＲＤＧ）＝１という指示をもつ高スループット制御（ＨＴＣ）フィールドを含むフレームを備える、送信可（ＣＴＳ）を備える、請求項１に記載の方法。
【請求項４】
前記基準信号は、リバース決定グラント（ＲＤＧ）＝１という指示をもつ高スループット制御（ＨＴＣ）フィールドを含むフレームを備える、請求項１に記載の方法。
【請求項５】
前記基準信号は、パワーセーブマルチポール（ＰＳＭＰ）フレームの少なくとも一部分を備え、ＳＴＡ情報フィールド内のＰＳＭＰ−ＵＴＴ開始オフセットが、アップリンク周波数分割多元接続（ＵＬ  ＦＤＭＡ）送信のための開始時間を識別し、ＰＳＭＰ−ＵＴＴ持続時間は、前記ＵＬ  ＦＤＭＡ送信の持続時間を識別し、ＳＴＡ  ＩＤフィールドは、送信することを可能にされたＳＴＡの識別子を備える、請求項１に記載の方法。
【請求項６】
前記基準信号は、フレーム制御フィールドと、持続時間フィールドと、受信アドレスフィールドと、送信アドレスフィールドと、長さフィールドとをさらに備える、請求項１に記載の方法。
【請求項７】
前記基準信号は、前記ワイヤレス周波数の第１のサブセットの指示を含む、請求項１に記載の方法。
【請求項８】
１つまたは複数のワイヤレス周波数上で干渉レベルを検出することと、前記干渉レベルに基づいて、前記ワイヤレス周波数の第１のサブセットを決定することと、をさらに備える、請求項１に記載の方法。
【請求項９】
周波数ホッピングでトーンインターリーブされたチャネルに基づいて、前記ワイヤレス周波数の第１のサブセットを決定することをさらに備える、請求項１に記載の方法。
【請求項１０】
前記基準信号は、前記ワイヤレス周波数の第１のサブセットの指示を含み、前記方法は、前記関連付けられたアクセスポイントに関連付けられていない１つまたは複数のデバイスへ、前記ワイヤレス周波数の第１のサブセットの前記指示を送信することをさらに備える、請求項１に記載の方法。
【請求項１１】
前記基準信号は、特定の時間において送信するために適格であるデバイスの指示を備える、請求項１に記載の方法。
【請求項１２】
前記基準信号は、それにおいて少なくとも１つのデバイスが送信するべきである電力レベルの指示を備える、請求項１に記載の方法。
【請求項１３】
前記基準信号は、少なくとも前記第１のワイヤレスデバイスへのチャネルの割当てを備える、請求項１に記載の方法。
【請求項１４】
前記基準信号は、少なくとも前記第１のワイヤレスデバイスの送信時間の指示を備える、請求項１に記載の方法。
【請求項１５】
前記基準信号は、送信可フレーム（ＣＴＳ）を備える、請求項１に記載の方法。
【請求項１６】
前記基準信号は、送信可フレーム（ＣＴＳ）と、１つまたは複数のペイロード要素を備える拡張ペイロードとを備える、請求項１に記載の方法。
【請求項１７】
前記基準信号は、１つまたは複数のターゲットデバイスを指示する高スループット制御（ＨＴＣ）フィールドを備える送信可フレーム（ＣＴＳ）を備える、請求項１に記載の方法。
【請求項１８】
前記基準信号は、送信可フレーム（ＣＴＳ）と１つまたは複数のペイロード要素とを備える、アグリゲートメディアアクセス制御プロトコルデータユニット（Ａ−ＭＰＤＵ）を備える、請求項１に記載の方法。
【請求項１９】
前記第１のデバイスがデータを送る準備ができていることを指示するサービス品質（ＱｏＳ）フィールドを、前記関連付けられたアクセスポイントへ送信することをさらに備える、請求項１に記載の方法。
【請求項２０】
前記第１のデバイスがデータを送る準備ができていることを指示するパワーセーブポール（ＰＳ−Ｐｏｌｌ）フレームを、前記関連付けられたアクセスポイントへ送信することをさらに備える、請求項１に記載の方法。
【請求項２１】
前記ワイヤレス周波数の第１のサブセットは、電気電子技術者協会（ＩＥＥＥ）８０２．１１規格に従って、２０または４０または８０ＭＨｚチャネルを備える、請求項１に記載の方法。
【請求項２２】
前記ワイヤレス周波数の第１のサブセットおよび第２のサブセットは、前記関連付けられたアクセスポイントの動作帯域幅内である、請求項１に記載の方法。
【請求項２３】
前記第１の通信および前記第２の通信は、送信時間誤差のマージン内の、前記基準信号によって指示された前記ジョイント送信の時間において開始する、請求項１に記載の方法。
【請求項２４】
前記第１の通信および前記第２の通信は、異なる時間において開始する、請求項１に記載の方法。
【請求項２５】
前記第１の通信および前記第２の通信は、送信時間誤差のマージン内の、前記基準信号によって指示された前記ジョイント送信の時間において終了する、請求項１に記載の方法。
【請求項２６】
前記第１の通信および前記第２の通信は、異なる時間において終了する、請求項１に記載の方法。
【請求項２７】
前記基準信号は、検知多重アクセス（ＣＳＭＡ）機構に従って、前記関連付けられたアクセスポイントによって送られる、請求項１に記載の方法。
【請求項２８】
前記基準信号は、管理シグナリングを介して、少なくとも前記第１のデバイスによって以前にスケジュールされた時間において、前記関連付けられたアクセスポイントによって送られる、請求項１に記載の方法。
【請求項２９】
前記基準信号は、ジョイント送信の１つまたは複数の将来の時間を指示する管理シグナリングを備える、請求項１に記載の方法。
【請求項３０】
前記基準信号は、少なくとも１次チャネル上で送られる、請求項１に記載の方法。
【請求項３１】
前記基準信号は、１次チャネル上で、および、前記送信前の検知時間の間アイドルである２次チャネルの全部または一部上で送られる、請求項１に記載の方法。
【請求項３２】
前記基準信号は、前記第１のデバイスおよび前記第２のデバイスと互換性のあるチャネル上で送られる、請求項１に記載の方法。
【請求項３３】
少なくとも前記第１のデバイスは、チャネル使用能力を前記関連付けられたアクセスポイントに指示する、請求項１に記載の方法。
【請求項３４】
前記基準信号は、アイドルチャネル上でのみ送られる、請求項１に記載の方法。
【請求項３５】
高効率ワイヤレス周波数分割多重化を実行するように構成された第１のワイヤレスデバイスであって、
関連付けられたアクセスポイントから基準信号を受信するように構成された受信機と、前記基準信号は、少なくとも第２のワイヤレスデバイスとのジョイント送信の時間とサードパーティデバイスのための遅延時間とを指示し、前記基準信号は、１つまたは複数の局情報フィールド、フレームチェックシーケンス（ＦＣＳ）、および最後の局情報フィールドと前記ＦＣＳとの間の１つまたは複数のパディングビットを備え、アイドルチャネルのみが使用されるべきであるという指示とともに、前記基準信号のみが１次チャネル上で送られ、
前記基準信号に基づいて、前記関連付けられたアクセスポイントへ第１の通信を送信するように構成された送信機と、前記第１の通信は、ワイヤレス周波数の第１のサブセットを利用し、および前記第２のワイヤレスデバイスからの第２の通信と並行し、前記第２の通信は、ワイヤレス周波数の第２のサブセットを利用し、ワイヤレス周波数の前記第２のサブセットは、ワイヤレス周波数の前記第１のサブセットを除く、
を備える、デバイス。
【請求項３６】
前記送信機は、前記関連付けられたアクセスポイントにおける送信準備完了（ＲＴＸ）フレームの受信に応答して、前記基準信号を送信するようにさらに構成され、前記基準信号は、フレーム制御フィールドと、持続時間フィールドと、ソースアドレスフィールドと、宛先アドレスフィールドと、以下の指示、すなわち、要求された送信時間、送信のためのキューのサイズ、前記要求された送信のためのサービス品質（ＱｏＳ）指示、および要求された送信帯域幅のうちの１つもしくは複数を備える情報ペイロードとのうちの１つまたは複数を備える、送信準備完了（ＲＴＸ）フレームを備える、請求項３５に記載のデバイス。
【請求項３７】
前記基準信号は、リバース決定グラント（ＲＤＧ）＝１という指示をもつ高スループット制御（ＨＴＣ）フィールドを含むフレームを備える、送信可（ＣＴＳ）フレームを備える、請求項３５に記載のデバイス。
【請求項３８】
前記基準信号は、リバース決定グラント（ＲＤＧ）＝１という指示をもつ高スループット制御（ＨＴＣ）フィールドを含むフレームを備える、請求項３５に記載のデバイス。
【請求項３９】
前記基準信号は、パワーセーブマルチポール（ＰＳＭＰ）フレームの少なくとも一部分を備え、ＳＴＡ情報フィールド内のＰＳＭＰ−ＵＴＴ開始オフセットが、アップリンク周波数分割多元接続（ＵＬ  ＦＤＭＡ）送信のための開始時間を識別し、ＰＳＭＰ−ＵＴＴ持続時間は、前記ＵＬ  ＦＤＭＡ送信の持続時間を識別し、ＳＴＡ  ＩＤフィールドは、送信することを可能にされたＳＴＡの識別子を備える、請求項３５に記載のデバイス。
【請求項４０】
前記基準信号は、フレーム制御フィールドと、持続時間フィールドと、受信アドレスフィールドと、送信アドレスフィールドと、長さフィールドとをさらに備える、請求項３５に記載のデバイス。
【請求項４１】
前記基準信号は、前記ワイヤレス周波数の第１のサブセットの指示を含む、請求項３５に記載のデバイス。
【請求項４２】
１つまたは複数のワイヤレス周波数上で干渉レベルを検出することと、前記干渉レベルに基づいて、前記ワイヤレス周波数の第１のサブセットを決定することと、を行うように構成されたプロセッサをさらに備える、請求項３５に記載のデバイス。
【請求項４３】
周波数ホッピングでトーンインターリーブされたチャネルに基づいて、前記ワイヤレス周波数の第１のサブセットを決定するように構成されたプロセッサをさらに備える、請求項３５に記載のデバイス。
【請求項４４】
前記基準信号は、前記ワイヤレス周波数の第１のサブセットの指示を含み、前記送信機は、前記関連付けられたアクセスポイントに関連付けられていない１つまたは複数のデバイスへ、前記ワイヤレス周波数の第１のサブセットの前記指示を送信するようにさらに構成される、請求項３５に記載のデバイス。
【請求項４５】
前記基準信号は、特定の時間において送信するために適格であるデバイスの指示を備える、請求項３５に記載のデバイス。
【請求項４６】
前記基準信号は、それにおいて少なくとも１つのデバイスが送信するべきである電力レベルの指示を備える、請求項３５に記載のデバイス。
【請求項４７】
前記基準信号は、少なくとも前記第１のワイヤレスデバイスへのチャネルの割当てを備える、請求項３５に記載のデバイス。
【請求項４８】
前記基準信号は、少なくとも前記第１のワイヤレスデバイスの送信時間の指示を備える、請求項３５に記載のデバイス。
【請求項４９】
前記基準信号は、送信可フレーム（ＣＴＳ）を備える、請求項３５に記載のデバイス。
【請求項５０】
前記基準信号は、送信可フレーム（ＣＴＳ）と、１つまたは複数のペイロード要素を備える拡張ペイロードとを備える、請求項３５に記載のデバイス。
【請求項５１】
前記基準信号は、１つまたは複数のターゲットデバイスを指示する高スループット制御（ＨＴＣ）フィールドを備える送信可フレーム（ＣＴＳ）を備える、請求項３５に記載のデバイス。
【請求項５２】
前記基準信号は、送信可フレーム（ＣＴＳ）と１つまたは複数のペイロード要素とを備える、アグリゲートメディアアクセス制御プロトコルデータユニット（Ａ−ＭＰＤＵ）を備える、請求項３５に記載のデバイス。
【請求項５３】
前記送信機は、前記第１のデバイスがデータを送る準備ができていることを指示するサービス品質（ＱｏＳ）フィールドを、前記関連付けられたアクセスポイントへ送信するようにさらに構成される、請求項３５に記載のデバイス。
【請求項５４】
前記送信機は、前記第１のデバイスがデータを送る準備ができていることを指示するパワーセーブポール（ＰＳ−Ｐｏｌｌ）フレームを、前記関連付けられたアクセスポイントへ送信するようにさらに構成される、請求項３５に記載のデバイス。
【請求項５５】
前記ワイヤレス周波数の第１のサブセットは、電気電子技術者協会（ＩＥＥＥ）８０２．１１規格に従って、２０または４０または８０ＭＨｚチャネルを備える、請求項３５に記載のデバイス。
【請求項５６】
前記ワイヤレス周波数の第１のサブセットおよび第２のサブセットは、前記関連付けられたアクセスポイントの動作帯域幅内である、請求項３５に記載のデバイス。
【請求項５７】
前記第１の通信および前記第２の通信は、送信時間誤差のマージン内の、前記基準信号によって指示された前記ジョイント送信の時間において開始する、請求項３５に記載のデバイス。
【請求項５８】
前記第１の通信および前記第２の通信は、異なる時間において開始する、請求項３５に記載のデバイス。
【請求項５９】
前記第１の通信および前記第２の通信は、送信時間誤差のマージン内の、前記基準信号によって指示された前記ジョイント送信の時間において終了する、請求項３５に記載のデバイス。
【請求項６０】
前記第１の通信および前記第２の通信は、異なる時間において終了する、請求項３５に記載のデバイス。
【請求項６１】
前記基準信号は、検知多重アクセス（ＣＳＭＡ）機構に従って、前記関連付けられたアクセスポイントによって送られる、請求項３５に記載のデバイス。
【請求項６２】
前記基準信号は、管理シグナリングを介して、少なくとも前記第１のデバイスによって以前にスケジュールされた時間において、前記関連付けられたアクセスポイントによって送られる、請求項３５に記載のデバイス。
【請求項６３】
前記基準信号は、ジョイント送信の１つまたは複数の将来の時間を指示する管理シグナリングを備える、請求項３５に記載のデバイス。
【請求項６４】
前記基準信号は、少なくとも１次チャネル上で送られる、請求項３５に記載のデバイス。
【請求項６５】
前記基準信号は、１次チャネル上で、および、前記送信前の検知時間の間アイドルである２次チャネルの全部または一部上で送られる、請求項３５に記載のデバイス。
【請求項６６】
前記基準信号は、前記第１のデバイスおよび前記第２のデバイスと互換性のあるチャネル上で送られる、請求項３５に記載のデバイス。
【請求項６７】
少なくとも前記第１のデバイスは、チャネル使用能力を前記関連付けられたアクセスポイントに指示する、請求項３５に記載のデバイス。
【請求項６８】
前記基準信号は、アイドルチャネル上でのみ送られる、請求項３５に記載のデバイス。
【請求項６９】
高効率ワイヤレス周波数分割多重化のための装置であって、
第１のワイヤレスデバイスにおいて、関連付けられたアクセスポイントから基準信号を受信するための手段と、前記基準信号は、少なくとも第２のワイヤレスデバイスとのジョイント送信の時間とサードパーティデバイスのための遅延時間とを指示し、前記基準信号は、１つまたは複数の局情報フィールド、フレームチェックシーケンス（ＦＣＳ）、および最後の局情報フィールドと前記ＦＣＳとの間の１つまたは複数のパディングビットを備え、アイドルチャネルのみが使用されるべきであるという指示とともに、前記基準信号のみが１次チャネル上で送られ、
前記基準信号に基づいて、前記関連付けられたアクセスポイントへ第１の通信を送信するための手段と、前記第１の通信は、ワイヤレス周波数の第１のサブセットを利用し、および前記第２のワイヤレスデバイスからの第２の通信と並行し、前記第２の通信は、ワイヤレス周波数の第２のサブセットを利用し、ワイヤレス周波数の前記第２のサブセットは、ワイヤレス周波数の前記第１のサブセットを除く、
を備える、装置。
【請求項７０】
実行されたとき、装置に、
第１のワイヤレスデバイスにおいて、関連付けられたアクセスポイントから基準信号を受信することと、前記基準信号は、少なくとも第２のワイヤレスデバイスとのジョイント送信の時間とサードパーティデバイスのための遅延時間とを指示し、前記基準信号は、１つまたは複数の局情報フィールド、フレームチェックシーケンス（ＦＣＳ）、および最後の局情報フィールドと前記ＦＣＳとの間の１つまたは複数のパディングビットを備え、アイドルチャネルのみが使用されるべきであるという指示とともに、前記基準信号のみが１次チャネル上で送られ、
前記基準信号に基づいて、前記関連付けられたアクセスポイントへ第１の通信を送信することと、前記第１の通信は、ワイヤレス周波数の第１のサブセットを利用し、および前記第２のワイヤレスデバイスからの第２の通信と並行し、前記第２の通信は、ワイヤレス周波数の第２のサブセットを利用し、ワイヤレス周波数の前記第２のサブセットは、ワイヤレス周波数の前記第１のサブセットを除く、
を行わせるコードを備える、非一時的コンピュータ可読媒体。